(57)【要約】【課題】身体障害者、高齢者、病人などの被介護者が、住宅の設計等に際して住宅設備の使用感を自ら体験することができ、住宅設備の設計に関する有用な情報を得ることができる被介護者用シミュレーションハウスを提供する。【解決手段】幅Ｗ１、深さＨ１、及びまたぎ高さＨ２の内の少なくとも一つの寸法が変更可能な浴槽１２と、浴室１４の幅Ｗ２及び奥行きＤ１の少なくとも一方の寸法を変更するための第１可動壁１４Ｂ及び第２可動壁１４Ｃと、を備えた浴室１４を有して構成された被介護者用シミュレーションハウス１０とした。【選択図】図１
2007003580.tif 000002
【特許請求の範囲】
【請求項１】
幅、深さ、及びまたぎ高さの内の少なくとも一つの寸法が変更可能な浴槽と、浴室の幅及び奥行きの少なくとも一方の寸法を変更するための可動壁と、を備えた浴室を有してなることを特徴とする被介護者用シミュレーションハウス。
【請求項２】
請求項１において、
前記浴室の出入口側には脱衣室が更に配設され、該脱衣室の床面は、前記浴室の床面に対して上下動可能に構成されていることを特徴とする被介護者用シミュレーションハウス。
【請求項３】
請求項２において、
一端が前記脱衣室の床面に連結され、前記脱衣室の床面の上下動に伴って傾斜角度が変更可能なスロープを更に備えたことを特徴とする被介護者用シミュレーションハウス。
【請求項４】
請求項１乃至３のいずれかにおいて、
前記浴室における前記可動壁と、前記浴室の外側に前記可動壁と略平行に配設された固定壁と、によって構成され、前記可動壁の移動に伴って幅の寸法が変更可能な廊下を更に備えたことを特徴とする被介護者用シミュレーションハウス。
【請求項５】
請求項至４において、
前記廊下は、平面視で略Ｌ字形状とされていることを特徴とする被介護者用シミュレーションハウス。
【請求項６】
請求項１乃至５のいずれかにおいて、
踏みづら及び蹴上げの少なくとも一方の寸法が変更可能な階段を更に備えたことを特徴とする被介護者用シミュレーションハウス。
【請求項７】
請求項１乃至６のいずれかにおいて、
トイレの幅及び奥行きの少なくとも一方の寸法を変更するための可動壁を有するトイレを更に備えたことを特徴とする被介護者用シミュレーションハウス。
【請求項８】
請求項７において、
前記トイレは、該トイレ内における位置を変更可能な便器を有して構成されていることを特徴とする被介護者用シミュレーションハウス。
【請求項９】
請求項１乃至８のいずれかにおいて、
略直方体形状の第１の浴槽と、該第１の浴槽の最小深さよりも小さな最小深さを有し、且つ、長手方向の一方の側面が長手方向外側に傾斜する傾斜面とされた第２の浴槽と、該第２の浴槽の最小深さよりも大きな最小深さを有し、且つ、長手方向の一方の側面が前記第２の浴槽の傾斜面よりも傾斜の小さい傾斜面とされた第３の浴槽と、を少なくとも含む複数種類の浴槽を備え、
前記浴室は、前記複数種類の浴槽の内のいずれか一つの浴槽を選択的に設置可能に構成されていることを特徴とする被介護者用シミュレーションハウス。
【請求項１０】
請求項２乃至９のいずれかにおいて、
前記浴槽の下方には、前記浴槽を上下動するための駆動手段を収容可能な第１の空間が形成され、
前記脱衣室の床面の下方には、前記脱衣室を上下動するための駆動手段を収容可能な第２の空間が形成され、
前記第１の空間及び前記第２の空間の双方に連通する第３の空間を更に形成したことを特徴とする被介護者用シミュレーションハウス。
【発明の詳細な説明】
【技術分野】
【０００１】
本発明は、住宅の設計等に際して浴槽や階段などの住宅設備の使用感を体験することができるシミュレーションハウスに関し、特に、身体障害者、高齢者、病人などの被介護者に好適な被介護者用シミュレーションハウスに関する。
【背景技術】
【０００２】
従来、住宅の設計等に際して浴槽や階段などの住宅設備の使用感を体験することができるシミュレーションハウスが広く知られており、例えば、特許文献１には、階段の傾斜勾配と踏板の面積を変更可能な傾斜勾配体験装置を備えたシミュレーションハウス（モデルハウス）が開示されている。
このシミュレーションハウスによれば、住宅の設計等に際して階段の使用感を予め体験することができ、傾斜勾配や踏板の面積など、階段の設計に有用な情報を得ることができる。
【特許文献１】特開２００１−３５０４０４号公報
【発明の開示】
【発明が解決しようとする課題】
【０００３】
しかしながら、このような従来のシミュレーションハウスの多くは、介護を必要としない健常者のために設計されたものであるため、従来のシミュレーションハウスによって得られる情報は、必ずしも、身体障害者、高齢者、病人などの被介護者にとって有用な情報であるとは言えなかった。特に、浴槽、浴室、廊下、トイレ、階段、スロープ（坂）などの住宅設備については、例えば、車椅子での移動などを考慮した設計が必要であり、住宅の設計等に際して被介護者がこれらの住宅設備の使用感を自ら体験することができるシミュレーションハウスが求められていた。
【０００４】
一方、このような被介護者等を対象としたシミュレーションハウスを実現するには広いスペースが必要であり、住宅販売会社等にとっては、設備投資負担が大きいと判断され、その結果、積極的にそのような施設を確保するに至らないことが推察された。
【０００５】
本発明は、このような問題点を解決したものであって、身体障害者、高齢者、病人などの被介護者が、住宅の設計等に際して住宅設備の使用感を自ら体験することができ、住宅設備の設計に関する有用な情報を得ることができる被介護者用シミュレーションハウスを提供することを目的とする。
【課題を解決するための手段】
【０００６】
本発明に係る被介護者用シミュレーションハウスは、幅、深さ、及びまたぎ高さの内の少なくとも一つの寸法が変更可能な浴槽と、浴室の幅及び奥行きの少なくとも一方の寸法を変更するための可動壁と、を備えた浴室を有してなることによって上記課題を解決したものである。
【０００７】
本発明によれば、身体障害者、高齢者、病人などの被介護者が、住宅の設計等に際して浴室や浴槽などの住宅設備の使用感を自ら体験することができ、被介護者にとって最適な浴槽の幅、深さ、及びまたぎ高さや、浴室の幅、奥行きなどの住宅設備の設計に関する有用な情報を得ることができる。特に、浴槽、浴室、廊下、トイレ、階段、スロープ（坂）などの住宅設備については、例えば、車椅子での移動などを考慮した設計が不可欠であるが、本発明によれば、住宅の設計等に際して被介護者がこれらの住宅設備の使用感を自ら体験することができ、被介護者に特に適したシミュレーションハウスを提供することができる。
【０００８】
なお、前記浴室の出入口側には脱衣室が更に配設され、該脱衣室の床面は、前記浴室の床面に対して上下動可能に構成されていれば、浴室の床面と脱衣室の床面との段差による浴室及び脱衣室の使用感を被介護者自らが体験した上で、被介護者にとって最適な段差（例えば、高齢者に負担のかからない段差）の情報を得ることができる。
【０００９】
更に、一端が前記脱衣室の床面に連結され、前記脱衣室の床面の上下動に伴って傾斜角度が変更可能なスロープを更に備えていれば、スロープの傾斜の違いによるスロープの使用感を被介護者自らが体験した上で、被介護者にとって最適な傾斜（例えば、車椅子での移動を考慮した傾斜、高齢者の体力を考慮した傾斜）の情報を得ることができる。
【００１０】
更に又、前記浴室における前記可動壁と、前記浴室の外側に前記可動壁と略平行に配設された固定壁と、によって構成され、前記可動壁の移動に伴って幅の寸法が変更可能な廊下を更に備えていれば、廊下の幅の違いによる廊下の使用感を被介護者自らが体験した上で、被介護者にとって最適な幅（例えば、車椅子での移動を考慮した幅）の情報を得ることができる。
【００１１】
なお、廊下が平面視で略Ｌ字形状とされていれば、廊下の幅の違いによる廊下の曲がり角の使用感を被介護者自らが体験した上で、被介護者にとって最適な幅（例えば、車椅子でのコーナリングを考慮した幅）の情報を得ることができる。
【００１２】
又、踏みづら及び蹴上げの少なくとも一方の寸法が変更可能な階段を更に備えていれば、踏みづら及び蹴上げの違いによる階段の使用感を被介護者自らが体験した上で、被介護者にとって最適な踏みづら及び蹴上げ（例えば、高齢者の階段の上り下りに際して危険や負担が少ない踏みづら及び蹴上げ）の情報を得ることができる。
【００１３】
更に、トイレの幅及び奥行きの少なくとも一方の寸法を変更するための可動壁を有するトイレを更に備えれば、トイレの幅及び奥行きの違いによるトイレの使用感を被介護者自らが体験した上で、被介護者にとって最適な幅及び奥行き（例えば、車椅子での利用を考慮した幅や奥行き）の情報を得ることができる。
【００１４】
更に又、前記トイレは、該トイレ内における位置を変更可能な便器を有して構成されていれば、便器の位置によるトイレの使用感を被介護者自らが体験した上で、被介護者にとって最適な便器の位置（例えば、車椅子での利用を考慮した位置）の情報を得ることができる。
又、略直方体形状の第１の浴槽と、該第１の浴槽の最小深さよりも小さな最小深さを有し、且つ、長手方向の一方の側面が長手方向外側に傾斜する傾斜面とされた第２の浴槽と、該第２の浴槽の最小深さよりも大きな最小深さを有し、且つ、長手方向の一方の側面が前記第２の浴槽の傾斜面よりも傾斜の小さい傾斜面とされた第３の浴槽と、を少なくとも含む複数種類の浴槽を備え、前記浴室は、前記複数種類の浴槽の内のいずれか一つの浴槽を選択的に設置可能に構成されていれば、複数種類の浴槽の使用感を被介護者自らが体験した上で、被介護者にとって最適な浴槽の情報を得ることができる。
【００１５】
なお、前記浴槽の下方には、前記浴槽を上下動するための駆動手段を収容可能な第１の空間が形成され、前記脱衣室の床面の下方には、前記脱衣室を上下動するための駆動手段を収容可能な第２の空間が形成され、前記第１の空間及び前記第２の空間の双方に連通する第３の空間を更に形成すれば、浴槽及び脱衣室の駆動手段のメンテナンスを容易に行うことができる。
【発明の効果】
【００１６】
本発明に係る被介護者用シミュレーションハウスは、身体障害者、高齢者、病人などの被介護者が、住宅の設計等に際して住宅設備の使用感を自ら体験することができ、住宅設備の設計に関する有用な情報を得ることができるという優れた効果を有する。
【発明を実施するための最良の形態】
【００１７】
以下、図面を用いて、本発明の実施形態に係る被介護者用シミュレーションハウス（以下、単に「シミュレーションハウス」と称する。）を詳細に説明する。
【００１８】
<全体構成>
【００１９】
まず、図１及び図２を用いて、本実施形態に係るシミュレーションハウス１０の全体構成について説明する。なお、図１はシミュレーションハウス１０を上方から見た略示平面図、図２はシミュレーションハウス１０を側方から見た略示立体図である。
【００２０】
図１及び図２に示されるように、シミュレーションハウス１０は、浴槽１２が配設された浴室１４と、この浴室１４の出入口側に配設された脱衣室１６と、一端が脱衣室１６の床面１６Ａに連結されたスロープ１８と、脱衣室１６に隣接して配設されたトイレ２０と、浴室１４の外側に沿うように配設された、平面視が略Ｌ字形状の廊下２２と、この廊下２２の一方の側にスロープ１８と略平行に配設された第１階段２４及び第２階段２６と、廊下２２の他方の側に配設された第３階段２８と、を有して構成されている。
【００２１】
次に、このシミュレーションハウス１０が備える各住宅設備について詳細に説明する。
【００２２】
<浴槽>
【００２３】
浴槽１２は、図３に示されるように、略板状の底板１２Ａと、平面視が略コの字形状の第１浴槽ユニット１２Ｂ及び第２浴槽ユニット１２Ｃによって構成されている。なお、この浴槽１２は、被介護者が浴槽の使用感を擬似的に体験するためのものであるため、必ずしもお湯がためられるように構成されている必要はない。
【００２４】
この浴槽１２の底板１２Ａの下方には、底板１２Ａを上下方向に移動可能な昇降機（図示省略）が設置されており、この昇降機によって底板１２Ａを上下方向（図２の矢印Ａ参照）に移動することによって、図４（Ａ）及び（Ｂ）に示されるように、浴槽１２の深さＨ１の寸法が変更可能な構造となっている。なお、底板１２Ａの昇降機としては、例えば、油圧ジャッキや機械式ジャッキ等を適用することができるが、本発明はこれらに限定されるものではない。
【００２５】
図３に戻って、浴槽１２の第１浴槽ユニット１２Ｂ及び第２浴槽ユニット１２Ｃは、互いの開口端部が対向するように配置され、これら第１浴槽ユニット１２Ｂ及び第２浴槽ユニット１２Ｃが一体的に組み合わされて浴槽１２の枠部が形成される。より具体的には、第１浴槽ユニット１２Ｂの開口端部は中空とされており、これと対向する第２浴槽ユニット１２Ｃの開口端部が入れ子状に挿入可能な構造とされている。そのため、第１浴槽ユニット１２Ｂ及び第２浴槽ユニット１２Ｃを浴槽１２の長手方向（図２、図３の矢印Ｂ参照）に移動することによって、上記図４に示されるように、浴槽１２の幅Ｗ１の寸法が変更可能な構造となっている。なお、第１浴槽ユニット１２Ｂ及び第２浴槽ユニット１２Ｃを長手方向に移動するための移動手段は特に限定されないが、例えば、これらを手動で長手方向に移動させる方法の他、第１浴槽ユニット１２Ｂ及び第２浴槽ユニット１２Ｃの下面にラックギアを設け、このラックギアをモータで駆動して第１浴槽ユニット１２Ｂ及び第２浴槽ユニット１２Ｃを長手方向に移動するように構成してもよい。
【００２６】
更に、第１浴槽ユニット１２Ｂ及び第２浴槽ユニット１２Ｃの下方には、第１浴槽ユニット１２Ｂ及び第２浴槽ユニット１２Ｃを上下方向に移動可能な昇降機（図示省略）が設置されており、この昇降機によって第１浴槽ユニット１２Ｂ及び第２浴槽ユニット１２Ｃを上下方向（図２の矢印Ｃ参照）に移動することによって、上記図４に示されるように、浴槽１２のまたぎ高さＨ２の寸法が変更可能な構造となっている。なお、本発明に係る「またぎ高さ」とは、浴室１４の床面１４Ｄを基準とした浴槽１２の最上面の高さをいう。又、第１浴槽ユニット１２Ｂ及び第２浴槽ユニット１２Ｃの昇降機としては、例えば、油圧ジャッキや機械式ジャッキ等を適用することができるが、本発明はこれらに限定されるものではない。
【００２７】
高齢者や被介護者にとっては、このまたぎ高さＨ２と浴槽１２の深さＨ１とのバランスが自らに適していると、入浴負担が大幅に軽減されるという特徴がある。従って、床面１４Ｄ、浴槽１２の最上面の高さ、浴槽１２の深さＨ１、３つの相対関係を自在に調整可能にすることで、具体的な入浴時のシミュレーションを実行し、最適設計を実現できるようになっている。
【００２８】
なお、本実施形態においては、浴槽１２の深さＨ１、幅Ｗ１、またぎ高さＨ２の寸法全てを変更可能に構成したが、本発明に係る「浴槽」はこれに限定されず、幅Ｗ１、深さＨ１、及びまたぎ高さＨ２の内の少なくとも一つの寸法が変更可能な浴槽であればよい。
【００２９】
<浴室>
【００３０】
浴室１４は、図１に示されるように、脱衣室１６からトイレ２０に亘って配設された固定壁１４Ａと、この固定壁１４Ａに対して略垂直な方向（図１の矢印Ｄ参照）に移動可能に構成された第１可動壁１４Ｂと、固定壁１４Ａに対して略平行な方向（図１の矢印Ｅ参照）に移動可能に構成された第２可動壁１４Ｃによって仕切られている。そして、浴室１４は、第１可動壁１４Ｂ及び第２可動壁１４Ｃをそれぞれ移動することによって、図５（Ａ）及び（Ｂ）に示されるように、幅Ｗ２及び奥行きＤ１の寸法がそれぞれ変更可能な構造となっている。なお、第１可動壁１４Ｂ及び第２可動壁１４Ｃを移動するための移動手段は特に限定されないが、例えば、第１可動壁１４Ｂ及び第２可動壁１４Ｃを図示しない天井に設置したレールに移動可能に吊り下げた構造としてもよい。
【００３１】
なお、本実施形態においては、浴室１４の幅Ｗ２及び奥行きＤ１の双方の寸法を変更可能に構成したが、本発明に係る「浴室」はこれに限定されず、浴室の幅Ｗ２及び奥行きＤ１の少なくとも一方の寸法が変更可能であればよい。
【００３２】
更に、シミュレーションハウス１０は、図６に示されるように、略直方体形状の和風浴槽（本発明に係る「第１の浴槽」に相当）３０と、この和風浴槽３０の最小深さＭＨ１（例えば６５０ｍｍ）よりも小さな最小深さＭＨ２（例えば４００ｍｍ）を有し、且つ、長手方向の一方の側面Ｆ１が長手方向外側に傾斜する傾斜面とされた洋風浴槽（本発明に係る「第２の浴槽」に相当）３２と、この洋風浴槽３２の最小深さＭＨ２よりも大きな最小深さＭＨ３（例えば６００ｍｍ）を有し、且つ、長手方向の一方の側面Ｆ２が洋風浴槽３２の傾斜面Ｆ１よりも傾斜の小さい傾斜面とされた和洋折衷浴槽（本発明に係る「第３の浴槽」に相当）３４と、を少なくとも含む複数種類の浴槽を備えている。そして、浴室１４は、複数種類の浴槽（本実施形態では、和風浴槽３０、洋風浴槽３２、和洋折衷浴槽３４）の内のいずれか一つの浴槽を選択的に設置可能に構成されている。なお、ここでは３種類の浴槽３０、３２、３４を個別に選択可能にしたが、本発明はそれに限定されず、浴槽３０側面の傾斜角を可変にすることで、浴槽深さと側面の傾斜角との組み合わせによって、一つの浴槽３０で和風、洋風、和洋折衷を構成可能にしてもよい。
【００３３】
<脱衣室>
【００３４】
脱衣室１６の下方には、脱衣室１６の床面１６Ａを上下方向（図２の矢印Ｆ参照）に移動可能な昇降機（図示省略）が設置されており、この昇降機によって脱衣室１６の床面１６Ａを上下方向に移動することによって、図７（Ａ）及び（Ｂ）に示されるように、浴室１４の床面１４Ｄに対する脱衣室１６の床面１６Ａの高さＨ３の寸法が変更可能な構造となっている。なお、脱衣室１６の床面１６Ａの昇降機としては、例えば、油圧ジャッキや機械式ジャッキ等を適用することができるが、本発明はこれらに限定されるものではない。又、脱衣室１６の床面１６Ａを「玄関の床面」に、又、浴室１４の床面１４Ｄを「室内の床面」にそれぞれ見立てれば、玄関の框（かまち）、即ち、玄関と室内との段差をシミュレーションすることも可能である。
【００３５】
なお、浴槽１２の下方には、浴槽１２を上下動するための昇降機（駆動手段）を収容可能な第１の空間が形成され、脱衣室１６の床面１６Ａの下方には、脱衣室１６を上下動するための昇降機（駆動手段）を収容可能な第２の空間が形成され、第１の空間及び第２の空間の双方に連通する第３の空間を更に形成すれば（例えば、浴室１４の床面１４Ｄの下方に第３の空間を形成すれば）、浴槽１２及び脱衣室１６の昇降機のメンテナンスを容易に行うことができる。
【００３６】
<スロープ>
【００３７】
スロープ１８は、図８（Ａ）及び（Ｂ）に示されるように、脱衣室１６の床面１６Ａの上下動に伴って傾斜角度が変更可能に構成されている。これにより、家の門戸から、スロープ１８を経て玄関（脱衣室１６を共有する）に到るまでのシミュレーションを、様々な角度によって実行可能になる。特に、車椅子を利用する人にとっては、その腕力によって昇れる角度が微妙に異なっている。従って実際に利用することで、その人にとって最適な角度情報を得ることが出来る。脱衣室１６と玄関を一つの床面１６Ａで共有することから、省スペース化も実現されている。
【００３８】
<トイレ>
【００３９】
トイレ２０は、図１に示されるように、浴室１４の固定壁１４Ａと、平面視が略Ｌ字形状の固定壁２０Ａと、トイレ２０の奥行き方向（図１の矢印Ｇ参照）に移動可能に構成された可動壁２０Ｂによって仕切られている。
【００４０】
トイレ２０は、可動壁２０Ｂを奥行き方向に移動することによって、図９（Ａ）及び（Ｂ）に示されるように、奥行きＤ２の寸法が変更可能な構造となっている。なお、可動壁２０Ｂを移動するための移動手段は特に限定されないが、例えば、可動壁２０Ｂを図示しない天井に設置したレールに移動可能に吊り下げた構造としてもよい。又、トイレ２０は、図９（Ｃ）に示されるように、トイレ２０内における位置を変更可能な便器３６を備えている。なお、便器３６を移動するための移動手段は特に限定されないが、例えば、便器３６の底部にラックギアを設け、このラックギアをモータで駆動して便器３６を前後方向に移動するように構成してもよい。
【００４１】
又、本実施形態においては、トイレ２０の奥行きＤ２の寸法のみを変更可能に構成したが、本発明はこれに限定されず、トイレ２０の奥行きＤ２の寸法に加え、奥行きＤ２と直交する方向の幅の寸法が変更可能に構成されていてもよい。
【００４２】
<廊下>
【００４３】
廊下２２は、図１に示されるように、浴室１４の２枚の可動壁１４Ｂ、１４Ｃと、これらの可動壁１４Ａ、１４Ｂと略平行に配設された、平面視で略Ｌ字形状の固定壁２２Ａによって構成されており、廊下２２は、図１０（Ａ）及び（Ｂ）に示されるように、浴室１４の可動壁１４Ｂ、１４Ｃの移動に伴って幅Ｗ３の寸法が変更可能な構造となっている。特に、本実施例では、２枚の可動壁１４Ｂ、１４Ｃが、浴室１４の広さを可変調節する機能と、Ｌ字コーナーを含む廊下２２の幅Ｗ３を可変調節する機能を兼ねているので、コンパクトなスペースで、多様なシミュレーションが可能となっている。
なお、図１０（Ａ）及び（Ｂ）には、可動壁１４Ｃと固定壁２２との幅Ｗ３のみ図示したが、可動壁１４Ｂと固定壁２２との幅Ｗ３の寸法も変更可能であることは言うまでもない。
【００４４】
又、本実施形態においては、廊下２２を平面視で略Ｌ字形状としたが、本発明に係る「廊下」はこれに限定されず、他の形状であってもよい。
【００４５】
<階段>
【００４６】
第１階段２４及び第２階段２６は、図２に示されるように、水平方向（図２の矢印Ｈ参照）に移動可能な複数のステップＳＴを有して構成されており、各ステップＳＴを水平方向に移動することによって、図１１（Ａ）及び（Ｂ）に示されるように、階段の踏みづらＳ１（図２参照）の寸法を変更可能であると共に、上記図２に示される第２階段２６のように複数（本実施形態では２枚）のステップＳＴを同一の踏みづら位置に重ね合わせることによって、蹴上げＳ２の寸法が変更可能な構造となっている。
【００４７】
なお、本実施形態においては、第１階段２４及び第２階段２６の踏みづらＳ１及び蹴上げＳ２の寸法の双方を変更可能に構成したが、本発明に係る「階段」はこれに限定されず、踏みづらＳ１及び蹴上げＳ２の少なくとも一方の寸法が変更可能な階段であればよい。
【００４８】
又、図１２に示されるように、第３階段２８における固定壁２２Ａ側には、固定壁２２Ａに沿ってレール３８が敷設されており、このレール３８上には、被介護者を乗せて第３階段２８の下部と上部との間を移動可能な階段昇降機４０が設置されている。
【００４９】
本実施形態に係るシミュレーションハウス１０によれば、幅Ｗ１、深さＨ１、及びまたぎ高さＨ２の内の少なくとも一つの寸法が変更可能な浴槽１２と、浴室１４の幅Ｗ２及び奥行きＤ１の少なくとも一方の寸法を変更するための可動壁（本実施形態では第１可動壁１４Ｂ及び第２可動壁１４Ｃ）と、を備えた浴室１４を有してなるため、身体障害者、高齢者、病人などの被介護者が、住宅の設計等に際して浴室や浴槽などの住宅設備の使用感を自ら体験することができ、被介護者にとって最適な浴槽の幅、深さ、及びまたぎ高さや、浴室の幅、奥行きなどの住宅設備の設計に関する有用な情報を得ることができる。
又、略直方体形状の第１の浴槽（本実施形態では和風浴槽）３０と、この第１の浴槽３０の最小深さＭＨ１よりも小さな最小深さＭＨ２を有し、且つ、長手方向の一方の側面Ｆ１が長手方向外側に傾斜する傾斜面とされた第２の浴槽（本実施形態では洋風浴槽）３２と、この第２の浴槽３２の最小深さＭＨ２よりも大きな最小深さＭＨ３を有し、且つ、長手方向の一方の側面Ｆ２が第２の浴槽３２の傾斜面Ｆ１よりも傾斜の小さい傾斜面とされた第３の浴槽（本実施形態では和洋折衷浴槽）３４と、を少なくとも含む複数種類の浴槽を備え、浴室１４は、複数種類の浴槽（本実施形態では、和風浴槽３０、洋風浴槽３２、和洋折衷浴槽３４）の内のいずれか一つの浴槽を選択的に設置可能に構成されているため、複数種類の浴槽の使用感を被介護者自らが体験した上で、被介護者にとって最適な浴槽の情報を得ることができる。
【００５０】
又、浴室１４の出入口側には脱衣室１６が更に配設され、この脱衣室１６の床面１６Ａは、浴室１４の床面１４Ｄに対して上下動可能に構成されているため、浴室の床面と脱衣室の床面との段差による浴室及び脱衣室の使用感を被介護者自らが体験した上で、被介護者にとって最適な段差（例えば、高齢者に負担のかからない段差）の情報を得ることができる。
【００５１】
更に、一端が脱衣室１６の床面１６Ａに連結され、脱衣室１６の床面１６Ａの上下動に伴って傾斜角度が変更可能なスロープ１８を更に備えているため、スロープの傾斜の違いによるスロープの使用感を被介護者自らが体験した上で、被介護者にとって最適な傾斜（例えば、車椅子での移動を考慮した傾斜、高齢者の体力を考慮した傾斜）の情報を得ることができる。
【００５２】
更に又、浴室１４における可動壁１４Ｂ、１４Ｃと、浴室１４の外側に可動壁１４Ｂ、１４Ｃと略平行に配設された固定壁２２Ａと、によって構成され、可動壁１４Ｂ、１４Ｃの移動に伴って幅Ｗ３の寸法が変更可能な廊下２２を更に備えているため、廊下の幅の違いによる廊下の使用感を被介護者自らが体験した上で、被介護者にとって最適な幅（例えば、車椅子での移動を考慮した幅）の情報を得ることができる。
【００５３】
特に、廊下２２が平面視で略Ｌ字形状とされているため、廊下の幅の違いによる廊下の曲がり角の使用感を被介護者自らが体験した上で、被介護者にとって最適な幅（例えば、車椅子でのコーナリングを考慮した幅）の情報を得ることができる。
【００５４】
又、踏みづらＳ１及び蹴上げＳ２の少なくとも一方の寸法が変更可能な階段（本実施形態では第１階段２４及び第２階段２６）を更に備えていれば、踏みづら及び蹴上げの違いによる階段の使用感を被介護者自らが体験した上で、被介護者にとって最適な踏みづら及び蹴上げ（例えば、高齢者の階段の上り下りに際して危険や負担が少ない踏みづら及び蹴上げ）の情報を得ることができる。
【００５５】
更に、トイレ２０の奥行きＤ２の寸法を変更するための可動壁２０Ｂを有するトイレ２０を更に備えているため、トイレの奥行きの違いによるトイレの使用感を被介護者自らが体験した上で、被介護者にとって最適な奥行き（例えば、車椅子での利用を考慮した奥行き）の情報を得ることができる。
【００５６】
更に又、トイレ２０は、このトイレ２０内における位置を変更可能な便器３６を有して構成されていれば、便器３６の位置によるトイレ２０の使用感を被介護者自らが体験した上で、被介護者にとって最適な便器の位置（例えば、車椅子での利用を考慮した位置）の情報を得ることができる。
【産業上の利用可能性】
【００５７】
本発明に係る被介護者用シミュレーションハウスは、身体障害者、高齢者、病人などの被介護者向けのモデルハウスに好適である。
【図面の簡単な説明】
【００５８】
【図１】本実施形態に係る被介護者用シミュレーションハウスの略示平面図
【図２】同被介護者用シミュレーションハウスの略示立体図
【図３】本実施形態に係る浴槽の分解斜視図
【図４】（Ａ）同浴槽の幅を広くした様子を示す浴槽の略示斜視図、（Ｂ）同浴槽の幅を狭くした様子を示す浴槽の略示斜視図
【図５】（Ａ）本実施形態に係る浴室の奥行きを狭くした様子を示す浴室の略示俯瞰図、（Ｂ）同浴室の奥行きを広くした様子を示す浴室の略示俯瞰図
【図６】（Ａ）本実施形態に係る第１の浴槽の略示斜視図、（Ｂ）本実施形態に係る第２の浴槽の略示斜視図、（Ｃ）本実施形態に係る第３の浴槽の略示斜視図
【図７】（Ａ）本実施形態に係る脱衣室の床面を上昇させた様子を示す浴室と脱衣室の略示部分斜視図、（Ｂ）同脱衣室の床面を下降させた様子を示す浴室と脱衣室の略示部分斜視図
【図８】（Ａ）本実施形態に係るスロープの傾斜を下げた様子を示すスロープ周辺の略示斜視図、（Ｂ）同スロープの傾斜を上げた様子を示すスロープ周辺の略示斜視図
【図９】（Ａ）本実施形態に係るトイレの奥行きを広くした様子を示すトイレの略示俯瞰図、（Ｂ）同トイレの奥行きを狭くした様子を示すトイレの略示俯瞰図、（Ｃ）同トイレにおける便器の位置を変えた様子を示すトイレの略示俯瞰図
【図１０】（Ａ）本実施形態に係る廊下の幅を広くした様子を示す廊下周辺の略示斜視図、（Ｂ）同廊下の幅を狭くした様子を示す廊下周辺の略示斜視図
【図１１】（Ａ）本実施形態に係る第２階段の踏みづらを狭くした様子を示す第２階段周辺の略示斜視図、（Ｂ）同第２階段の踏みづらを広くした様子を示す第２階段周辺の略示斜視図
【図１２】（Ａ）本実施形態に係る第３階段に設置された階段昇降機が第３階段の下方に停止している様子を示す第３階段周辺の略示斜視図、（Ｂ）同階段昇降機が第３階段の上方に停止している様子を示す第３階段周辺の略示斜視図
【符号の説明】
【００５９】
１０・・・被介護者用シミュレーションハウス
１２・・・浴槽
１４・・・浴室
１６・・・脱衣室
１８・・・スロープ
２０・・・トイレ
２２・・・廊下
２４・・・第１階段
２６・・・第２階段
２８・・・第３階段
３０・・・第１の浴槽
３２・・・第２の浴槽
３４・・・第３の浴槽
３６・・・便器
【図１】
2007003580.tif 000003
【図２】
2007003580.tif 000004
【図３】
2007003580.tif 000005
【図４】
2007003580.tif 000006
【図５】
2007003580.tif 000007
【図６】
2007003580.tif 000008
【図７】
2007003580.tif 000009
【図８】
2007003580.tif 000010
【図９】
2007003580.tif 000011
【図１０】
2007003580.tif 000012
【図１１】
2007003580.tif 000013
【図１２】
2007003580.tif 000014